【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、前記ＵＥによって１つまたは複数のアップリンク制御信号を送信するための複数の物理アップリンク制御チャネル（ＰＵＣＣＨ）の構成を受信することと、
前記ＵＥによって、前記構成に基づいて前記複数のＰＵＣＣＨを生成することと、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信することとを備え、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、ワイヤレス通信の方法。
【請求項２】
前記構成は、無線リソース制御（ＲＲＣ）メッセージを介して受信される、請求項１に記載の方法。
【請求項３】
前記構成は、前記複数のノード内の各ノードのための１つのアップリンクコンポーネントキャリアをプライマリコンポーネントキャリア（ＰＣＣ）として指定する、請求項１に記載の方法。
【請求項４】
前記複数のＰＵＣＣＨを送信することは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを備える、請求項３に記載の方法。
【請求項５】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項３に記載の方法。
【請求項６】
前記複数のノードは、第１のノードがマクロノードであり、第２のノードがフェムトノード、ピコノードまたはホームｅＮＢのうちの１つであるような、異なる電力クラスのノードを備える、請求項５に記載の方法。
【請求項７】
前記構成は、前記複数のノードにおける少なくとも１つのノードのコンポーネントキャリアに対するキャリアアグリゲーション構成を備える、請求項５に記載の方法。
【請求項８】
ワイヤレス通信のために構成された装置であって、
ユーザ機器（ＵＥ）において、前記ＵＥによって１つまたは複数のアップリンク制御信号を送信するための複数の物理アップリンク制御チャネル（ＰＵＣＣＨ）の構成を受信するための手段と、
前記ＵＥによって、前記構成に基づいて前記複数のＰＵＣＣＨを生成するための手段と、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信するための手段とを備え、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、ワイヤレス通信のために構成された装置。
【請求項９】
前記構成は、無線リソース制御（ＲＲＣ）メッセージを介して受信される、請求項８に記載の装置。
【請求項１０】
前記構成は、前記複数のノード内の各ノードのための１つのアップリンクコンポーネントキャリアをプライマリコンポーネントキャリア（ＰＣＣ）として指定する、請求項８に記載の装置。
【請求項１１】
前記複数のＰＵＣＣＨを送信するための手段は、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信するための手段を備える、請求項１０に記載の装置。
【請求項１２】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項１０に記載の装置。
【請求項１３】
前記複数のノードは、第１のノードがマクロノードであり、第２のノードがフェムトノード、ピコノードまたはホームｅＮＢのうちの１つであるような、異なる電力クラスのノードを備える、請求項１２に記載の装置。
【請求項１４】
前記構成は、前記複数のノードにおける少なくとも１つのノードのコンポーネントキャリアに対するキャリアアグリゲーション構成を備える、請求項１２に記載の装置。
【請求項１５】
プログラムコードを記録した非一時的コンピュータ可読媒体であって、前記プログラムコードは、
ユーザ機器（ＵＥ）において、前記ＵＥによって１つまたは複数のアップリンク制御信号を送信するための複数の物理アップリンク制御チャネル（ＰＵＣＣＨ）の構成を受信することを、コンピュータに実行させるためのプログラムコードと、
前記ＵＥによって、前記構成に基づいて前記複数のＰＵＣＣＨを生成することを、前記コンピュータに実行させるためのプログラムコードと、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信することを、前記コンピュータに実行させるためのプログラムコードとを備え、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、プログラムコードを記録した非一時的コンピュータ可読媒体。
【請求項１６】
前記構成は、前記複数のノード内の各ノードのための１つのアップリンクコンポーネントキャリアをプライマリコンポーネントキャリア（ＰＣＣ）として指定する、請求項１５に記載の非一時的コンピュータ可読媒体。
【請求項１７】
前記複数のＰＵＣＣＨを送信することを、前記コンピュータに実行させるための前記プログラムコードは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを、前記コンピュータに実行させるためのプログラムコードを備える、請求項１６に記載の非一時的コンピュータ可読媒体。
【請求項１８】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項１６に記載の非一時的コンピュータ可読媒体。
【請求項１９】
前記複数のノードは、第１のノードがマクロノードであり、第２のノードがフェムトノード、ピコノードまたはホームｅＮＢのうちの１つであるような、異なる電力クラスのノードを備える、請求項１８に記載の非一時的コンピュータ可読媒体。
【請求項２０】
前記構成は、前記複数のノードにおける少なくとも１つのノードのコンポーネントキャリアに対するキャリアアグリゲーション構成を備える、請求項１８に記載の非一時的コンピュータ可読媒体。
【請求項２１】
ワイヤレス通信のために構成された装置であって、
少なくとも１つのプロセッサと、
前記少なくとも１つのプロセッサに結合されたメモリとを備え、
前記少なくとも１つのプロセッサは、
ユーザ機器（ＵＥ）において、前記ＵＥによって１つまたは複数のアップリンク制御信号を送信するための複数の物理アップリンク制御チャネル（ＰＵＣＣＨ）の構成を受信することと、
前記ＵＥによって、前記構成に基づいて前記複数のＰＵＣＣＨを生成することと、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信することとを実行するように構成され、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、ワイヤレス通信のために構成された装置。
【請求項２２】
前記構成は、無線リソース制御（ＲＲＣ）メッセージを介して受信される、請求項２１に記載の装置。
【請求項２３】
前記構成は、前記複数のノード内の各ノードのための１つのアップリンクコンポーネントキャリアをプライマリコンポーネントキャリア（ＰＣＣ）として指定する、請求項２１に記載の装置。
【請求項２４】
前記複数のＰＵＣＣＨを送信することを前記コンピュータに実行させるための前記プログラムコードは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを、前記コンピュータに実行させるためのプログラムコードを備える、請求項２３に記載の装置。
【請求項２５】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項２３に記載の装置。
【請求項２６】
前記複数のノードは、第１のノードがマクロノードであり、第２のノードがフェムトノード、ピコノードまたはホームｅＮＢのうちの１つであるような、異なる電力クラスのノードを備える、請求項２５に記載の装置。
【請求項２７】
前記構成は、前記複数のノードにおける少なくとも１つのノードのコンポーネントキャリアに対するキャリアアグリゲーション構成を備える、請求項２５に記載の装置。